(57)【要約】【課題】接触帯電手段に吸着されたトナーや異物を効率良く像担持体の表面に吐き出し、画像欠陥が発生することのない画像形成装置を提供する。【解決手段】画像形成装置の画像形成動作の終了後、感光体１１に残留したトナーは接触帯電手段である帯電ブラシ１２に吸着され内部に取り込まれるが、繰り返し画像形成処理を行うと内部に吸着トナーが次第に蓄積し、感光体１１に対する帯電性能が低下し、記録媒体に地肌カブリが生じるので、トナーの吐出し処理を行う。即ち、高圧電源から出力される周期性の第１出力（例えばピーク値ＶＨＩ＝−１３００Ｖ、ＶＬＯ＝−３５０Ｖの振動電圧）と、周期性のない第２出力（例えば直流電圧ＶＤＣ＝−１４００Ｖ）とを、切換装置を経て交互に帯電ブラシ１２に印加する。第１出力で吸着トナーを振動させると共に帯電極性を揃えることができ、第２出力によるトナーの吐き出し作用を促進することができる。【選択図】        図２
2004184467.tif 000002
【特許請求の範囲】
【請求項１】
像担持体と、前記像担持体に接触して電荷を印加する接触帯電手段と、前記接触帯電手段に電荷を印加する切換手段を備えた電源手段とを備えた画像形成装置において、
前記電源手段は、周期性を有する電圧である第１の出力と周期性のない電圧である第２の出力とを交互に切換えて所定の時間だけ前記接触帯電手段に印加すること
を特徴とする画像形成装置。
【請求項２】
前記接触帯電手段は、回転体からなること
を特徴とする請求項１記載の画像形成装置。
【請求項３】
前記第１の出力を接触帯電手段に印加する時間は、前記回転する接触帯電手段の０．５回転乃至１．５回転に相当する時間であること
を特徴とする請求項２記載の画像形成装置。
【請求項４】
前記第２の出力を接触帯電手段に印加する時間は、前記第１の出力を接触帯電手段に印加する時間以上の時間であること
を特徴とする請求項１乃至請求項３記載の画像形成装置。
【請求項５】
前記第１の出力は、周波数が１６Ｈｚ乃至２５６Ｈｚの周期性を有する電圧であること
を特徴とする請求項１乃至請求項４記載の画像形成装置。
【発明の詳細な説明】
【０００１】
【発明の属する技術分野】
この発明は、電子写真方式の画像形成装置、特に、帯電同時クリーニング方式の画像形成装置に関する。
【０００２】
【従来の技術】
電子写真方式の画像形成装置、例えば複写機、レーザプリンタ、ファクシミリ、或いはこれ等の機能を備えたＭＦＣと呼ばれる複合機では、感光体ドラム等の像担持体の表面を帯電装置により均一に帯電させ、その帯電面に記録すべき画像情報に基づいて変調したレーザ光等を投射して画像潜像を形成する。次に、この画像潜像をトナーにより現像してトナー像を形成し、トナー像を記録媒体に転写する。さらに、トナー像が転写された記録媒体を定着処理して画像を固定し、画像の記録を行っている。
【０００３】
トナー像を記録媒体上に転写した後、像担持体の表面には未転写のトナーが残留して次回の画像形成に支障をきたすので、従来の画像形成装置ではクリーニング装置により残留トナーを除去していた。
【０００４】
また、像担持体の表面を帯電させる帯電装置としては、コロナ放電により帯電させる非接触型のコロナ帯電装置が広く使用されてきたが、最近はオゾンの発生が少なく、低電圧、低電力の帯電装置として、導電性の接触帯電部材を像担持体の表面に接触させて帯電させる接触型の帯電装置が使用されるようになってきた。接触帯電部材としては、ローラ型、ブレード型、ファーブラシ型、磁気ブラシ型など各種のものがある。
【０００５】
一方、画像形成装置の小型化のために、像担持体からトナー像を記録媒体上に転写した後の残留トナーの除去を専用のクリーニング装置によらず、接触型の帯電装置を利用して行う、帯電同時クリーニング方式と呼ばれるクリーニング方式の技術が提案されている（特許文献１参照）。
【０００６】
帯電同時クリーニング方式の帯電装置は、接触帯電部材として、例えば帯電ブラシを像担持体に接触して配置し、帯電ブラシに所定の帯電電位を印加して像担持体の表面を所定の極性・電位に一様に帯電させるものである。
【０００７】
トナー像を記録媒体上に転写した後に像担持体表面に残留したトナーは、像担持体の移動、例えば感光体の回転により順次帯電ブラシと像担持体との接触部である帯電領域に移動すると帯電ブラシに吸収され、像担持体の表面から回収される。
【０００８】
しかしながら、帯電ブラシにトナーや異物が混入すると、帯電ブラシの抵抗値を変動させ、帯電性能が低下する。このため、非画像形成時に帯電ブラシに印加されるバイアス電位を変え、混入したトナーや異物を排出する方法が提案されている（特許文献２参照）。
【０００９】
即ち、非画像形成時に帯電ブラシに印加されるバイアス電位と像担持体の帯電電位とを異なる電位とし、この電位差を利用して帯電ブラシ内部のトナーを像担持体の表面に移動、即ち吐き出させるものである。なお、このとき、像担持体の表面に吐き出されたトナーは、帯電ブラシの下流側に配置されている現像装置で回収する技術が提案されている。
【００１０】
【特許文献１】
特開平０９−３１１５２９号公報。
【００１１】
【特許文献２】
特開２００１−１６６５６４号公報。
【００１２】
【発明が解決しようとする課題】
ところで、上述した従来の帯電ブラシなどの接触帯電部材では、帯電部材の先端にある穂先が像担持体との接触により劣化するほか、穂先のグルーピングによる接触抵抗の増大や、低湿度環境においてはトナーの静電吸着力が上昇して接触帯電部材内部のトナーを像担持体の表面に移動させる吐き出し作用が低下するなどのため、接触帯電部材の内部に吸着されたトナーが次第に蓄積されてゆき、帯電性能が低下して画像欠陥が発生するなどの不都合があった。
【００１３】
この発明は、上記課題を解決し、接触帯電部材の内部に蓄積されたトナーの吐き出し能力を向上させ、接触帯電部材の内部に蓄積されるトナーの量を極力少なくし、画像欠陥が発生することのない画像形成装置を提供することを目的とするものである。
【００１４】
【課題を解決するための手段】
この発明は上記課題を解決するもので、請求項１の発明は、像担持体と、前記像担持体に接触して電荷を印加する接触帯電手段と、前記接触帯電手段に電荷を印加する切換手段を備えた電源手段とを備えた画像形成装置において、前記電源手段は、周期性を有する電圧である第１の出力と周期性のない電圧である第２の出力とを交互に切換えて所定の時間だけ前記接触帯電手段に印加することを特徴とする画像形成装置である。
【００１５】
そして、前記接触帯電手段は、回転体で構成するとよい。
【００１６】
また、前記第１の出力を接触帯電手段に印加する時間は、前記回転する接触帯電手段の０．５回転乃至１．５回転に相当する時間とする。
【００１７】
また、前記第２の出力を接触帯電手段に印加する時間は、前記第１の出力を接触帯電手段に印加する時間以上の時間とする。
【００１８】
さらに、前記第１の出力は、周波数が１６Ｈｚ乃至２５６Ｈｚの周期性を有する電圧とする。
【００１９】
【発明の実施の形態】
以下、この発明の実施の形態について説明する。以下説明する実施の形態は、帯電同時クリーニング方式の接触帯電手段であるブラシ帯電装置を、画像形成装置の１つであるレーザビームプリンタに適用した例である。
【００２０】
図１は、帯電同時クリーニング方式のブラシ帯電装置（以下、帯電ブラシという）を備えたレーザビームプリンタの構成の概略を説明する断面図、図２はそのブラシ帯電装置の動作を説明するため、ブラシ帯電装置付近を拡大した断面図である。
【００２１】
図１及び図２において、レーザビームプリンタ１０の本体の略中央部分には、像担持体である感光体１１が矢印ａ方向に回転自在に配置されている。感光体１１の周囲には、その回転方向に沿って、電荷印加手段であり接触帯電手段でもある帯電ブラシ１２、現像装置１３、転写装置１４、分離装置１５が順に配列されている。
【００２２】
また、感光体１１の下方には記録媒体Ｐを感光体１１に向けて給紙する給紙装置１６が配置され、また、分離装置１５で分離された記録媒体Ｐの搬送方向下流側には、定着装置１７、及び排紙トレイ１８が配置されている。
【００２３】
感光体１１の斜め上方には、レーザ装置２０が配置されており、画像情報により変調されたレーザビームを感光体１１の表面に投射するように構成されている。２０ａは投射されるレーザビームを示す。
【００２４】
帯電ブラシ１２について説明する。帯電ブラシ１２の回転軸は感光体１１の回転軸に平行で、且つ感光体１１から所定距離だけ離れた位置にあり、帯電ブラシ１２の穂先が感光体１１の表面に、その軸方向に沿って摺接するように配置されている。帯電ブラシ１２は、感光体１１の回転方向と同一方向に回転し、その回転速度が、感光体１１の表面の線速度の３倍以上の線速度で回転するように構成されている。
【００２５】
帯電ブラシ１２を構成する繊維には、例えばビスコスレーヨン等の導電性の繊維が使用され、繊維の太さは例えば３００デニールのものが使用される。
【００２６】
帯電ブラシ１２には、画像形成動作を実行するのに必要とされる、感光体１１の表面を所定の電位に帯電させるため、及び帯電ブラシ１２に吸着されたトナーを感光体１１の表面へ吐き出させるため、電荷印加手段である高圧電源１９から切換装置１９ａを経て所定の電圧が印加される。
【００２７】
即ち、画像形成動作を実行するときは、感光体１１の表面を所定の電位に帯電させるため、帯電ブラシ１２には電源手段を構成する高圧電源１９から所定周波数の振動電圧が切換手段を構成する切換装置１９ａを介して供給され、感光体１１の表面は所定の電位に帯電される。
【００２８】
例えば、高圧電源１９から−３５０Ｖの直流電圧に、周波数６４Ｈｚ、最大値が−１３００Ｖ、デューテイ比が５０％の矩形波を重畳して得られた、ピーク値ＶＨＩ＝−１３００Ｖ、ＶＬＯ＝−３５０Ｖの振動電圧（第１の出力）が出力されて帯電ブラシ１２に印加される。このとき、感光体１１の表面電位は−８５０Ｖに設定される。
【００２９】
なお、ここでは高圧電源１９から帯電ブラシ１２に供給される振動電圧として、直流電圧に矩形波を重畳した振動電圧で説明したが、直流に重畳する振動電圧は矩形波に限られるものではなく、矩形波のほか、交流電圧、パルス電圧その他の波形の電圧でもよい。
【００３０】
また、帯電ブラシ１２に吸着されたトナーを感光体１１の表面へ吐き出させるトナーの吐出し処理のときは、周期性を有する電圧（第１の出力）と、周期性を有しない電圧（第２の出力）とを交互に帯電ブラシ１２に印加する。
【００３１】
例えば、高圧電源１９から出力される、−３５０Ｖの直流電圧に周波数６４Ｈｚ、最大値が−１３００Ｖ、デューテイ比が５０％の矩形波を重畳して得られた、ピーク値ＶＨＩ＝−１３００Ｖ、ＶＬＯ＝−３５０Ｖの振動電圧が出力（第１の出力）と、直流電圧ＶＤＣ＝−１４００Ｖ（第２の出力）とを、切換装置１９ａを経て交互に帯電ブラシ１２に印加する。これについては後で詳細に説明する。
【００３２】
トナーの吐出し処理は、現像・転写の行われていない非画像形成期間に実行される。非画像形成期間とは、例えば、電源スイッチ投入後の画像形成動作の開始前、記録媒体のジャムや通信障害の発生したときの復旧後、１枚目の記録媒体への画像形成前、連続して複数枚の記録媒体へ画像形成を行う場合の１つの画像形成動作の終了から次の画像形成動作の開始までの中間期間（第１ジョブの画像形成動作終了から、第１ジョブに続く第２ジョブの画像形成動作開始前）、画像形成動作の終了後、等である。
【００３３】
図示しないレーザビームプリンタの動作シーケンスを制御する制御回路では、画像形成動作の実行期間か上記した非画像形成期間かを判断し、非画像形成期間であれば、高圧電源１９から出力される周期性を有する電圧（第１の出力）と、周期性を有しない電圧（第２の出力）とを切換装置１９ａで切換操作し、交互に帯電ブラシ１２に印加するように制御する。
【００３４】
次に、レーザビームプリンタ１０の動作の概略を説明する。電源が投入されると、図示しないメインモータにより感光体１１及び帯電ブラシ１２は、所定の回転速度で回転を開始する。画像形成動作の実行が指令されたときは、高圧電源１９から所定の周波数の振動電圧（第１の出力）が帯電ブラシ１２に印加され、感光体１１の表面は所定の電位に帯電される。
【００３５】
レーザ装置２０から、画像情報により変調されたレーザビームが感光体１１の表面に投射され、感光体１１の表面に画像潜像が形成される。形成された画像潜像は、感光体１１の回転により現像装置１３の位置にくると、現像装置１３の現像ローラ１３ａに接触してトナーにより現像されて顕像化され、感光体１１の上にトナー像が形成される。
【００３６】
一方、給紙装置１６からは、感光体１１の上に形成されたトナー像が転写位置にくるタイミングに合わせて記録媒体Ｐが給紙される。転写位置では、転写装置１４の作用により感光体１１の上のトナー像が記録媒体Ｐに転写される。トナー像が転写された記録媒体Ｐは分離装置１５により感光体１１から分離され、さらに定着装置１７に搬送されてトナー像の定着処理されて画像形成が完了し、記録媒体Ｐは排紙トレイ１８に排出される。
【００３７】
トナー像の記録媒体Ｐへの転写処理において、記録媒体Ｐに転写されずに感光体１１の上に残留したトナーは、感光体１１の回転により帯電ブラシ１２の位置にくると、帯電ブラシ１２との接触により帯電ブラシ１２に吸収されて回収され、感光体１１の表面の残留トナーは清掃される。
【００３８】
即ち、この段階では、露光により感光体１１の表面電位が低下しているため、感光体１１の表面の残留トナーの帯電電位も低下し、帯電ブラシ１２の電位の方が残留トナーの電位よりも高くなるため、感光体１１の表面の残留トナーは帯電ブラシ１２に吸収され、その内部に取り込まれるのである。
【００３９】
次に、図２を参照して、帯電ブラシ１２による感光体１１の表面の残留トナーの吸収による回収、及び帯電ブラシ１２内部に蓄積されたトナーを感光体１１の表面に吐き出させる吐出し処理を説明する。
【００４０】
図２において、Ｔ１  は感光体１１の上の残留トナー、Ｔ２  は帯電ブラシ１２に吸収され内部に取り込まれたトナー、Ｔ３  は以下説明する吐出し処理により帯電ブラシ１２から感光体１１の表面に吐き出されたトナーを示す。なお、感光体１１の表面に吐き出されたトナーは現像装置１３に回収される。
【００４１】
帯電ブラシ１２にトナーが吸収されたまま、繰り返し画像形成処理を行うと、帯電ブラシ１２の内部に吸着されたトナーが次第に蓄積されてゆき、感光体１１へ電荷を付与する帯電性能が低下したり、記録媒体には地肌カブリが生じるようになる。そこで、帯電ブラシ１２の内部に蓄積されたトナーを除去する吐出し処理を行う。以下、吐出し処理について説明する。
【００４２】
前記したとおり、吐出し処理は、帯電ブラシ１２の内部に蓄積されたトナーを感光体１１の表面に吐き出させ、帯電ブラシ１２の回転方向下流側に配置された現像装置１３に回収させるもので、現像・転写処理が行われていない非画像形成期間に実行される。
【００４３】
吐出し処理においては、周期性を有する電圧である第１の出力と、周期性を有しない電圧である第２の出力とを交互に帯電ブラシ１２に印加する。例えば、高圧電源１９から出力される、−３５０Ｖの直流電圧に周波数６４Ｈｚ、最大値が−１３００Ｖ、デューテイ比が５０％の矩形波を重畳して得られた、第１の出力であるピーク値ＶＨＩ＝−１３００Ｖ、ＶＬＯ＝−３５０Ｖの振動電圧と、第２の出力であるＶＤＣ＝−１４００Ｖの直流電圧とを、切換装置１９ａを経て交互に帯電ブラシ１２に印加する。
【００４４】
なお、上記した例は、帯電ブラシ１２に印加する第１の出力である振動電圧のピーク値ＶＨＩ＝−１３００Ｖと、第２の出力である直流電圧ＶＤＣ＝−１４００Ｖとの差（ＶＨＩ−ＶＤＣ）が１００Ｖであるが、電位差は必ずしも１００Ｖでなくともよく、実験によれば、５０Ｖ乃至１００Ｖの電位差があれば十分に吐出し処理の実行が可能であることが分かった。
【００４５】
図３乃至図５は、吐出し処理における帯電ブラシ１２に印加される電圧を説明する図である。まず、図３は、電源スイッチの投入後で、画像形成動作の開始前の非画像形成期間に吐出し処理を実行するときの帯電ブラシ１２に印加される電圧を説明する図である。この場合は、−３５０Ｖの直流電圧に周波数６４Ｈｚ、最大値が−１３００Ｖ、デューテイ比が５０％の矩形波を重畳して得られた第１の出力であるピーク値ＶＨＩ＝−１３００Ｖ、ＶＬＯ＝−３５０Ｖの振動電圧と、第２の出力である直流電圧ＶＤＣ＝−１４００Ｖとを、交互に帯電ブラシ１２に印加している。
【００４６】
図４は、連続して複数枚の記録媒体へ画像形成を行う場合の、１つの画像形成動作の終了から次の画像形成動作の開始までの間の非画像形成期間に吐出し処理を実行するときの、帯電ブラシ１２に印加される電圧を説明する図である。この場合は、非画像形成期間に帯電ブラシ１２に印加する第１の出力及び第２の出力は、図３で説明したものと同じとなる。
【００４７】
図５は、画像形成動作の終了後の非画像形成期間に吐出し処理を実行するときの、帯電ブラシ１２に印加される電圧を説明する図である。この場合も、非画像形成期間に帯電ブラシ１２に印加する第１の出力及び第２の出力は、図３で説明したものと同じとなる。
【００４８】
まず、−３５０Ｖの直流電圧に周波数６４Ｈｚ、最大値が−１３００Ｖ、デューテイ比が５０％の矩形波を重畳して得られた、ピーク値ＶＨＩ＝−１３００Ｖ、ＶＬＯ＝−３５０Ｖの振動電圧（第１の出力）が帯電ブラシ１２に印加されると、帯電ブラシ１２の内部に吸着され内部に取り込まれていたトナーは振動すると共に、帯電極性がマイナス（−）極性側に揃う。
【００４９】
次に、直流電圧ＶＤＣ＝−１４００Ｖ（第２の出力）が帯電ブラシ１２に印加されると、感光体１１の表面電位（−８５０Ｖ）と帯電ブラシ１２の電位（−１４００Ｖ）との電位差により、帯電ブラシ１２に吸着され内部に取り込まれていたトナーが感光体１１の表面に吐き出される。
【００５０】
なお、図３乃至図５において、非画像形成期間の第２の出力部分に表示されている矢印とその先端のマイナス記号は、帯電ブラシ１２に吸着され、その内部に取り込まれたトナーが、帯電ブラシ１２の電位（−１４００Ｖ）と感光体１１の表面電位（−８５０Ｖ）との電位差により、感光体１１の表面に吐き出されることを示したものである。
【００５１】
図６は、非画像形成期間に帯電ブラシ１２に印加される周期性を有する電圧である第１の出力の印加時間に相当する帯電ブラシ１２の回転数と、周期性のない直流電圧である第２の出力の印加時間に相当する帯電ブラシ１２の回転数と、トナーの吐き出し効果の関係の実験結果の一例を示す図で、帯電ブラシ１２に印加される電圧が第１の出力から第２の出力に切換えられた直後の帯電ブラシ１２が１回転する期間に、多くのトナーが吐き出されることを示している。
【００５２】
非画像形成期間に帯電ブラシ１２に印加される第１の出力の印加時間に対するトナーの吐き出し効果は同じであるにしても、製品の仕様上、限られた非画像形成期間内で最大のトナーの吐き出し効果を得るために、第１の出力の印加時間が短い方が好ましいことは言うまでもない。例えば、第１の出力を帯電ブラシ１２に印加する時間は、帯電ブラシ１２の０．５回転乃至１．５回転に相当する時間にするとよい。
【００５３】
また、第２の出力を帯電ブラシ１２に印加する時間は、第１の出力の印加時間以上の時間とするとよい。これにより、帯電ブラシ１２に吸着され内部に取り込まれたトナーの感光体１１の表面への吐き出し処理を、確実に実行することができる。
【００５４】
図７は、非画像形成期間に帯電ブラシ１２に印加される、第１の出力の周波数によるトナーの吐き出し効果を実験した結果の一例を示す図で、画像形成期間に帯電ブラシに印加される出力の周波数６４Ｈｚ付近の周波数域で最も良くトナーが吐き出され、１５Ｈｚ以下の低周波域では第１の出力による帯電ブラシ中のトナーの振動、及び帯電極性を揃える効果がないことを示している。
【００５５】
この結果からみると、画像形成期間に帯電ブラシに印加される第１の出力の周波数は、１６Ｈｚ乃至２５６Ｈｚの範囲の周波数が適当と判断される。
【００５６】
上記した実施の形態においては、帯電同時クリーニング方式の帯電装置として、ブラシ帯電装置（帯電ブラシ）を説明したが、この帯電同時クリーニング方式の帯電装置はブラシ帯電装置（帯電ブラシ）ばかりでなく、帯電ローラなどの回転体から構成される帯電装置にも適用することができるもので、上記した実施の形態の構成に限られるものではない。
【００５７】
上記した実施の形態の説明においては、感光体の電位や帯電ブラシの電位として負の電位の場合について説明したが、感光体の電位や帯電ブラシの電位の正負は、装置の設計において適宜決定されるものであり、上記した実施の形態の電位に限られるものではない。
【００５８】
また、この発明の画像形成装置の帯電同時クリーニング方式の帯電装置は、上記実施の形態ではレーザプリンタに適用した例で説明したが、レーザプリンタに限られるものではなく、複写装置、ファクシミリ装置、その他の電子写真方式の画像形成装置にも適用できることは言うまでもない。
【００５９】
なお、上記した実施の形態では、非画像形成期間に帯電ブラシ１２に印加される第１の出力として、画像形成期間と同じ電圧値（−３５０Ｖの直流電圧に周波数６４Ｈｚ、最大値が−１３００Ｖ、デューテイ比が５０％の矩形波を重畳して得られた、ピーク値ＶＨＩ＝−１３００Ｖ、ＶＬＯ＝−３５０Ｖの振動電圧）を使用しているが、同様の効果が得られる他の電圧値に変更することもできる。
【００６０】
上記した実施の形態には、以下に記載する発明も含まれる。
【００６１】
（１）請求項１記載の画像形成装置において、前記接触帯電手段は帯電ブラシであることを特徴とする画像形成装置。
【００６２】
（２）請求項１記載の画像形成装置において、前記接触帯電手段は帯電ローラであることを特徴とする画像形成装置。
【００６３】
（３）請求項１記載の画像形成装置において、前記電源手段から出力される周期性を有する第１の出力は所定電圧の直流電圧に所定周波数の矩形波を重畳して得られた出力であり、周期性のない第２の出力は所定電圧の直流電圧であることを特徴とする画像形成装置。
【００６４】
（４）請求項１記載の画像形成装置において、前記第２の出力の印加時間は前記第１の出力の印加時間以上の時間に設定されていることを特徴とする画像形成装置。
【００６５】
【発明の効果】
以上詳細に説明したように、請求項１記載の画像形成装置の帯電同時クリーニング方式の帯電装置は、非画像形成期間に接触帯電手段に吸着されたトナーや異物を排出するが、その際、周期性を有する第１の出力を接触帯電手段に印加すると、接触帯電手段の内部に吸着され内部に取り込まれていたトナーを振動させると共に、トナーの帯電極性を揃えることができるので、次に周期性のない第２の出力を接触帯電手段に印加してトナーの吐出し処理を行うとき、トナーの吐き出し作用を促進することができる。
【００６６】
これにより、接触帯電手段の先端にある穂先が像担持体との接触による劣化、穂先のグルーピングによる接触抵抗の増大、低湿度環境におけるトナーの静電吸着力の上昇に伴う接触帯電手段内部のトナーを像担持体の表面に移動させる吐き出し作用の低下等を防ぎ、接触帯電手段に吸着されたトナーや異物を効率良く像担持体の表面に吐き出すことができ、画像欠陥が発生することのない画像形成装置を提供することができる。
【図面の簡単な説明】
【図１】帯電同時クリーニング方式のブラシ帯電装置を備えたレーザビームプリンタの構成の概略を説明する断面図。
【図２】図１に示すレーザビームプリンタの、ブラシ帯電装置付近の拡大断面図。
【図３】吐出し処理の際の帯電ブラシ印加電圧を説明する図（その１）。
【図４】吐出し処理の際の帯電ブラシ印加電圧を説明する図（その２）。
【図５】吐出し処理の際の帯電ブラシ印加電圧を説明する図（その３）。
【図６】非画像形成期間に帯電ブラシに印加される第１の出力及び第２の出力の印加時間とトナーの吐き出し効果との関係に関する実験結果の一例を示す図。
【図７】非画像形成期間に帯電ブラシに印加される第１の出力の周波数とトナーの吐き出し効果との関係に関する実験結果の一例を示す図。
【符号の説明】
１０  レーザビームプリンタ
１１  感光体
１２  帯電ブラシ（接触帯電手段）
１３  現像装置
１４  転写装置
１５  分離装置
１６  給紙装置
１７  定着装置
１８  排紙トレイ
１９  高圧電源
１９ａ  切換装置
２０  レーザ装置
２０ａ  レーザビーム
【図１】
2004184467.tif 000003
【図２】
2004184467.tif 000004
【図３】
2004184467.tif 000005
【図４】
2004184467.tif 000006
【図５】
2004184467.tif 000007
【図６】
2004184467.tif 000008
【図７】
2004184467.tif 000009